(57)【要約】【課題】便座クリーナ液の供給が可能で省スペース化を図ることができ、また見た目にもすっきりしたロールペーパー供給装置を提供する。【解決手段】洗浄水供給パイプＷｓに配設したベースプレートＢｓを介して設置可能な正面パネル１０１と、ロールペーパー収容部１０２と、ボトル設置トレイ１１２と、便座クリーナ液収容ボトル１１６中の便座クリーナ液を使用者に供給する便座クリーナ液受け部１１３とを備え、正面パネル１０１が、洗浄操作ボタン１１０と、ロールペーパー供給口１０３と、ロールペーパー供給口開閉蓋１０４と、予備ロールペーパー待機部１０５と、ロールペーパー引出し部１０６と、便座クリーナ液受け部１１３の配設位置に設けられた開口部１１４と、便座クリーナ液を便座クリーナ液受け部１１３に塗出させる便座クリーナ液供給ボタン１１５とを有することを特徴とするロールペーパー供給装置。【選択図】図１
2008099776.tif 000002
【特許請求の範囲】
【請求項１】
洗浄水供給手段の所定部位に配設したベースプレートを介して設置可能な正面パネルと、
前記正面パネルに配設される、ロールペーパーを収容するロールペーパー収容手段、クリーニング剤収容容器が搭載される容器搭載手段、使用者に、前記容器搭載手段に搭載されたクリーニング剤収容容器中のクリーニング剤を供給するクリーニング剤供給部を備え、
前記正面パネルが、前記洗浄水供給手段のバルブ開閉部を連動して開閉させる洗浄操作手段と、
前記ロールペーパー収容手段にロールペーパーを供給するためのロールペーパー供給口と、
前記ロールペーパー供給口を開口可能に塞ぐロールペーパー供給口開閉部材と、
前記ロールペーパー収容手段の底部位置に設けられたロールペーパー待機部と、
前記ロールペーパー待機部に連設され、ロールペーパー待機部から移送されたロールペーパーを回転可能に支持するロールペーパー引出し部と、
前記クリーニング剤供給部の配設位置に設けられたクリーニング剤供給開口部と、
前記クリーニング剤収容容器中のクリーニング剤を前記クリーニング剤供給部に塗出させるためのクリーニング剤供給手段とを有することを特徴とするロールペーパー供給装置。
【請求項２】
請求項１に記載のロールペーパー供給装置において、
前記正面パネルが、前記容器搭載手段に前記クリーニング剤収容容器を搭載するための容器供給口と、前記容器供給口を開口可能に塞ぐ容器供給口開閉部材とを有することを特徴とするロールペーパー供給装置。
【請求項３】
請求項１又は２に記載のロールペーパー供給装置において、
前記正面パネルが、前記ベースプレートにその下端部が蝶着されて、下端部を支点に上部が前傾開口可能であることを特徴とするロールペーパー供給装置。
【請求項４】
請求項１又は２に記載のロールペーパー供給装置において、
前記正面パネルが、観音開き構造の２枚のパネルより成ることを特徴とするロールペーパー供給装置。
【発明の詳細な説明】
【技術分野】
【０００１】
本発明は、自動車専用道路や高速道路、一般道路沿い等に設けられたサービスエリアあるいはパーキングエリア、又は駅や公園、学校、劇場、デパート等のトイレ等に設置して利用されるロールペーパー供給装置に関するものである。
【背景技術】
【０００２】
従来、上記サービスエリア、駅、デパート等に設置して利用されるロールペーパー供給装置として、正面パネルを基板としてロールペーパー収容部、フラッシュバルブを包含し、正面パネルにペーパー引出し口や洗浄水を流すための押しボタンを配設した壁嵌め込み式のロールペーパー供給装置が本出願人により提案されている（例えば、特許文献１参照）。
【０００３】
一方、近年便器の洋型化が進んでおり、使用者は自身の肌が接触する便座をそのまま使用することに抵抗を感じることが多い。特にサービスエリア、駅、デパート等の公共のトイレにおいては不特定多数の者が使用するため、その傾向が強い。これを受けて、便座拭き取り用の便座クリーナ液を供給する便座クリーナ液供給装置がトイレブース内に設置されることが多くなった。
【特許文献１】特開２００４−２０９０７３号公報
【発明の開示】
【発明が解決しようとする課題】
【０００４】
しかしながら上述の便座クリーナ液供給装置は、ロールペーパー供給装置とは別個にトイレブース内の壁面に配置されるため、新たな設置スペースが必要であるとともに、壁面から突出しているために、比較的狭いトイレブースにおいてはトイレ使用者の邪魔になり、また見た目にもすっきりしないという問題があった。
【０００５】
本発明は、このような状況下でなされたものであり、便座クリーナ液の供給が可能で省スペース化を図ることができ、また見た目にもすっきりしたロールペーパー供給装置を提供することを目的とする。
【課題を解決するための手段】
【０００６】
本発明は上述した課題を解決するためになされたものであり、以下の構成を備える。
【０００７】
（１）洗浄水供給手段の所定部位に配設したベースプレートを介して設置可能な正面パネルと、前記正面パネルに配設される、ロールペーパーを収容するロールペーパー収容手段、クリーニング剤収容容器が搭載される容器搭載手段、使用者に、前記容器搭載手段に搭載されたクリーニング剤収容容器中のクリーニング剤を供給するクリーニング剤供給部を備え、前記正面パネルが、前記洗浄水供給手段のバルブ開閉部を連動して開閉させる洗浄操作手段と、前記ロールペーパー収容手段にロールペーパーを供給するためのロールペーパー供給口と、前記ロールペーパー供給口を開口可能に塞ぐロールペーパー供給口開閉部材と、前記ロールペーパー収容手段の底部位置に設けられたロールペーパー待機部と、前記ロールペーパー待機部に連設され、ロールペーパー待機部から移送されたロールペーパーを回転可能に支持するロールペーパー引出し部と、前記クリーニング剤供給部の配設位置に設けられたクリーニング剤供給開口部と、前記クリーニング剤収容容器中のクリーニング剤を前記クリーニング剤供給部に塗出させるためのクリーニング剤供給手段とを有することを特徴とするロールペーパー供給装置。
【０００８】
（２）前項（１）に記載のロールペーパー供給装置において、前記正面パネルが、前記容器搭載手段に前記クリーニング剤収容容器を搭載するための容器供給口と、前記容器供給口を開口可能に塞ぐ容器供給口開閉部材とを有することを特徴とするロールペーパー供給装置。
【０００９】
（３）前項（１）又は（２）に記載のロールペーパー供給装置において、前記正面パネルが、前記ベースプレートにその下端部が蝶着されて、下端部を支点に上部が前傾開口可能であることを特徴とするロールペーパー供給装置。
【００１０】
（４）前項（１）又は（２）に記載のロールペーパー供給装置において、前記正面パネルが、観音開き構造の２枚のパネルより成ることを特徴とするロールペーパー供給装置。
【発明の効果】
【００１１】
本発明によれば、便座クリーナ液の供給が可能で省スペース化を図ることができ、また見た目にもすっきりしたロールペーパー供給装置を提供することができる。
【発明を実施するための最良の形態】
【００１２】
本発明を実施するための最良の形態を、以下の実施例に基づいて説明する。
【００１３】
ただし、この実施例に記載されている構成部品の寸法、材質、形状、その相対配置等は、特に特定的な記載がない限りは、この発明の範囲をそれらのみに限定する趣旨のものではない。
【実施例１】
【００１４】
以下、本実施例に係るロールペーパー供給装置を、図面を用いて説明する。
【００１５】
本実施例に係るロールペーパー供給装置は、例として本体前面に一枚の正面パネルを設けたロールペーパー供給装置である。
【００１６】
図１は、本実施例に係るロールペーパー供給装置の概略斜視図、図２は、該ロールペーパー供給装置の概略正面断面図、図３は、該ロールペーパー供給装置の概略平面断面図、図４は、該ロールペーパー供給装置の概略底面断面図、図５（ａ）、（ｂ）は、該ロールペーパー供給装置の概略左側面断面図、図６は、該ロールペーパー供給装置の概略右側面断面図である。
【００１７】
図において、トイレブースの壁面には、ロールペーパー供給装置１００を収容するための収容スペースＳが形成され、壁裏面には収容スペースＳの開口部外縁に額縁フレームＦが配設されている。また、フラッシュバルブ型の洗浄水供給手段としての洗浄水供給パイプＷｓの所定位置にベースプレートＢｓが固設される。ベースプレートＢｓの両側縁部には長方形部材Ｂｓ１が側方に延出しており、長方形部材Ｂｓ１が壁面と額縁フレームＦとの間に挟持されてベースプレートＢｓが壁面に固定される。１００は本実施例に係るロールペーパー供給装置であり、ロールペーパー供給装置１００は、壁面の収容スペースＳに埋設され、基盤となる正面パネル１０１が収容スペースＳの開口から望まれる位置に配置され、正面パネル１０１の下端がベースプレートＢｓに蝶着されることでトイレブース壁面に設置される。
【００１８】
ロールペーパー供給装置１００の正面パネル１０１は、その下端部を支点として上部を前傾させて開口可能とする可傾開閉機構Ｋを備える。可傾開閉機構Ｋは連結部材Ｋ１と受け部材Ｋ２を含み、連結部材Ｋ１の一端は正面パネル１０１の下端部に固着され、他端はベースプレートＢｓに設けられた受け部材Ｋ２に回動可能に嵌合される。連結部材Ｋ１の中央部は断面略コの字形状となっており、開口側が正面に向けられる。
【００１９】
正面パネル１０１の両側には、正面パネル１０１が前傾してその上部が開口している状態において、正面パネル１０１が所定角度α以上前傾しないように掛止するための掛止腕部１０１２が、対向し、且つ可傾方向に平行して設けられている。掛止腕部１０１２は、その開放端側の先端が鉤状となった掛止部１０１２ａを有し、正面パネル１０１が角度αだけ前傾した状態で掛止部１０１２ａが額縁フレームＦに当接するようになっている。
【００２０】
以上の構成において、正面パネル１０１は、ベースプレートＢｓの受け部材Ｋ２に嵌合した連結部材Ｋ１を支点として角度αだけ前傾し、可傾開閉可能となる。なお、対向する掛止腕部１０１２を互いに内側に所定量撓ませることで、掛止部１０１２ａの額縁フレームＦへの掛止を開放し、正面パネル１０１を角度α以上前傾させることも可能である。これにより、メンテナンスを容易に行うことができる。また、連結部材Ｋ１を受け部材Ｋ２から取り外すことで正面パネル１０１を取り外し、正面パネル１０１を、例えばステンレスから積層樹脂プレートへ、あるいは色柄模様の化粧パネル等へ、自由に交換することができる。
【００２１】
続いて、ロールペーパー供給装置本体の構成について説明する。
【００２２】
ロールペーパー供給装置１００には、ロールペーパー供給部、便器洗浄操作部、便座クリーナ液供給部が設けられる。まず、ロールペーパー供給部について説明する。
【００２３】
ロールペーパー供給部は、正面パネル１０１の略中央に位置し、正面パネル１０１裏面に筒状のロールペーパー収容手段としてのロールペーパー収容部１０２が起立して配設される。そして正面パネル１０１の表面には、ロールペーパー収容部１０２の上部位置に、ロールペーパーＰｅを投入可能なロールペーパー供給口１０３が開口している。ロールペーパー供給口１０３には、ロールペーパー供給口開閉部材としてのロールペーパー供給口開閉蓋１０４が下部を支点にして前傾し、上部が開口可能に蝶着されている。
【００２４】
ロールペーパー供給口開閉蓋１０４はその両側に、ロールペーパー供給口開閉蓋１０４が所定角度β以上前傾しないように掛止するための、側面視中抜き扇形状の係止腕部１０４１を有する。掛止腕部１０４１は、その開放端側の先端が鉤状となった掛止部１０４１ａを有し、ロールペーパー供給口開閉蓋１０４は、掛止部１０４１ａが正面パネル１０１裏面に当接する範囲（角度β）で前傾可能となっている。対向する掛止腕部１０４１を内側に所定量撓ませることで、掛止部１０４１ａが掛止状態から開放され、ロールペーパー供給口開閉蓋１０４を所定角度β以上前傾させ、ロールペーパー供給口１０３を全開させることも可能である。
【００２５】
正面パネル１０１の、ロールペーパー収容部１０２の底部位置には、ロールペーパー待機部としての予備ロールペーパー待機部１０５が形成されており、ロールペーパー供給口１０３から投入されたロールペーパーＰｅは、自重でロールペーパー収容部１０２内を下方に落下し、予備ロールペーパー待機部１０５に到達する。予備ロールペーパー待機部１０５には、庇部１０５１及び受け部１０５２が配設され、庇部１０５１と受け部１０５２との間に切欠窓１０５３が形成されている。ロールペーパーＰｅは、庇部１０５１と受け部１０５２に当接して保持される。
【００２６】
予備ロールペーパー待機部１０５の図２中左側にはロールペーパー引出し部１０６が連設されており、予備ロールペーパー待機部１０５に到達したロールペーパーＰｅは、使用者が切欠窓１０５３に指を入れて左方向に押し出すことでロールペーパー引出し部１０６にスライド移送される。ロールペーパーＰｅがスライドすると、予備ロールペーパー待機部１０５は空室となるため、二段目のロールペーパーＰｅが自重で落下し、予備ロールペーパー待機部１０５が該ロールペーパーＰｅで満たされる。
【００２７】
ロールペーパー収容部１０２内の、予備ロールペーパー待機部１０５の背部には、断面略Ｌ字形状のテコ部材１０８が、一端をロールペーパー供給口１０３方向に、他端を予備ロールペーパー待機部１０５方向に向けて、その頂部を中心に揺動可能に配設されており、ロールペーパー供給口１０３より投入されたロールペーパーＰｅは、テコ部材１０８に誘導されて予備ロールペーパー待機部１０５に押し出される。
【００２８】
ロールペーパーＰｅが予備ロールペーパー待機部１０５にある状態では、テコ部材１０８の予備ロールペーパー待機部１０５方向に伸びる部分が該ロールペーパーＰｅにより下方向に付勢された状態となる。そして他端がロールペーパー収容部１０２の内壁から離間する方向（正面パネル１０１の表面方向）に移動するため、次に投入されたロールペーパーＰｅは、該他端によりその落下が妨げられる。これにより次に投入されたロールペーパーＰｅのさらなる落下が抑止されて、ロールペーパー収容部１０２に収容されているロールペーパーＰｅによる予備ロールペーパー待機部１０５にあるロールペーパーＰｅへの荷重を緩和することができる。また、予備ロールペーパー待機部１０５にあるロールペーパーＰｅのロールペーパー引出し部１０６へのスライドが容易となる。
【００２９】
予備ロールペーパー待機部１０５が空室となると、テコ部材１０８の予備ロールペーパー待機部１０５方向に伸びる部分の下方向への付勢が解除され、他端がロールペーパー収容部１０２の内壁に当接する方向に移動し、次のロールペーパーＰｅの下方への落下が可能となり、該ロールペーパーＰｅが予備ロールペーパー待機部１０５に移送される。
【００３０】
ロールペーパー引出し部１０６は、ロールペーパー芯支持棒１０６１を有し、スライドされたロールペーパーＰｅは、その中心孔にロールペーパー芯支持棒１０６１が挿通され、回転自在に支持される。また、ロールペーパー引出し部１０６の上部には、蓋部材１０６２が蝶着され、その裏面がロールペーパーＰｅに当接した状態で保持される。蓋部材１０６２は、その開放端側の縁部に所望のカッター部材を儲けたカッター蓋の構成であってもよい。
【００３１】
ロールペーパー供給装置１００は、ロールペーパーＰｅを、ロールペーパー収容部１０２とロールペーパー引出し部１０６とで合わせて５ロール収容保持可能な構成となっている。また、正面パネル１０１の、ロールペーパー供給口１０３の下方で且つ予備ロールペーパー待機部１０５の上方、及びロールペーパー供給口開閉蓋１０４に、ロールペーパー覗き窓１０７が配設されている。ロールペーパー覗き窓１０７にはガラスや樹脂板等の透明な部材が挿着されており、ロールペーパー覗き窓１０７を通してロールペーパー収容部１０２内のロールペーパーＰｅの有無を視認することができる。ロールペーパーＰｅの補充が必要なことが確認された場合には、ロールペーパー供給口開閉蓋１０４を前傾させてロールペーパー供給口１０３からロールペーパーＰｅを投入して補充する。
【００３２】
次に、便器洗浄操作部について説明する。便器洗浄操作部は、ロールペーパー供給部の図２中左側、ロールペーパー引出し部１０６の上方に位置し、正面パネル１０１に円形の開口部１０９が形成され、該開口部１０９より略半球状の洗浄操作手段としての洗浄操作ボタン１１０が突設される。開口部１０９は、ゴム等の半球状の弾性体で被覆され、防湿・防水処理が施されている。洗浄操作ボタン１１０はその裏面側に棒状突起部材１１０１を有し、棒状突起部材１１０１の先端はアーム部１１１の一端に当接している。
【００３３】
アーム部１１１は、中間部において支軸１１１１により揺動可能に軸支され、洗浄操作ボタン１１０の棒状突起部材１１０１が当接しない側の端部に突起部１１１２を有する。突起部１１１２は、洗浄水供給パイプＷｓのバルブ開閉部を開閉するためのバルブ開閉ボタンＷｓ１に当接している。
【００３４】
洗浄操作ボタン１１０及びバルブ開閉ボタンＷｓ１は、正面パネル１０１に対して垂直方向に摺動可能であり、バルブ開閉ボタンＷｓ１は内蔵される不図示のバネ部材により正面パネル１０１背面方向（バルブ開閉ボタンＷｓ１が洗浄水供給パイプＷｓより突出する方向）に付勢されている。したがって、バルブ開閉ボタンＷｓ１に当接する突起部１１１２は正面パネル１０１背面方向に付勢され、またアーム部１１１が支軸１１１１を支点として揺動可能なため、アーム部１１１の洗浄操作ボタン１１０側の端部は正面パネル１０１表面方向に付勢される。これにより、アーム部１１１に当接する棒状突起部材１１０１を介して、洗浄操作ボタン１１０は正面パネル１０１表面方向に付勢されている。
【００３５】
この構成により、使用者は正面パネル１０１より突出している洗浄操作ボタン１１０を押圧することで、アーム部１１１が揺動してバルブ開閉ボタンＷｓ１がその付勢力に逆らう方向に押圧されて、洗浄水供給パイプＷｓを介して洗浄水を自由に流すことができる。また、洗浄操作ボタン１１０から手を離すと、バルブ開閉ボタンＷｓ１がその付勢力で元の位置に戻りバルブが閉止状態となり、併せてアーム部１１１が揺動して洗浄操作ボタン１１０が付勢されて元の位置に戻る。アーム部１１１はテコの作用によりバルブ開閉ボタンＷｓ１を押すため、使用者は軽い力で便器洗浄操作が可能となる。
【００３６】
なお、洗浄操作ボタン１１０については、例えば光センサ、赤外線センサ等の被接触式のセンサを用いてもよく、またその設置位置も本実施例の構成に限定されず、例えば被接触式センサを用いた場合には、センサが使用者の姿勢状態に応じて反応するような位置であってもよい。
【００３７】
続いて、便座クリーナ液供給部について説明する。便座クリーナ液供給部は、ロールペーパー供給部の図２中右側、洗浄水供給パイプＷｓの上方に位置し、正面パネル１０１の裏面に容器搭載手段としてのボトル設置トレイ１１２が突設される。ボトル設置トレイ１１２には不図示の貫通孔が形成されている。またボトル設置トレイ１１２の側面及び背面側にはボトル位置規制部材１１２１が設けられている。
【００３８】
ボトル設置トレイ１１２の下方には、例えばステンレスの筐体等から成るクリーニング剤供給部としての便座クリーナ液受け部１１３が配設される。正面パネル１０１の表面には、便座クリーナ液受け部１１３の配設位置にクリーニング剤供給開口部としての開口部１１４が形成され、便座クリーナ液受け部１１３は正面パネル１０１表面に開口している。また、便座クリーナ液受け部１１３の天井面には、ボトル設置トレイ１１２の貫通孔と相対する位置に不図示の貫通孔が形成される。正面パネル１０１の開口部１１４の直上には、クリーニング剤供給手段としての便座クリーナ液供給ボタン１１５が配設される。
【００３９】
クリーニング剤収容容器としての便座クリーナ液収容ボトル１１６には不図示のクリーナ液塗出部が、また側面にはボトル側便座クリーナ液供給ボタン１１６１が設けられている。便座クリーナ液収容ボトル１１６を搭載・交換する場合は、正面パネル１０１を前傾させて開口し、ボトル側便座クリーナ液供給ボタン１１６１が正面に位置する状態で便座クリーナ液収容ボトル１１６をボトル設置トレイ１１２に載置する。この状態で、便座クリーナ液収容ボトル１１６のクリーナ液塗出部がボトル設置トレイ１１２及び便座クリーナ液受け部１１３にそれぞれ形成された貫通孔に挿通され、クリーナ液塗出部先端の塗出孔が便座クリーナ液受け部１１３内に開放される。
【００４０】
また、正面パネル１０１の便座クリーナ液供給ボタン１１５と、ボトル側便座クリーナ液供給ボタン１１６１とが当接される。そのため、便座クリーナ液供給ボタン１１５を押すとボトル側便座クリーナ液供給ボタン１１６１が押され、クリーナ液塗出部の塗出孔から、ボトル内のクリーニング剤としての便座クリーナ液が便座クリーナ液受け部内１１３に供給される。使用者は、正面パネル１０１の開口部１１４から便座クリーナ液受け部１１３に所望量のロールペーパーＰｅを挿入し、便座クリーナ液供給ボタン１１５を押して、供給される便座クリーナ液を該ロールペーパーＰｅに受けて使用することができる。
【００４１】
正面パネル１０１の、便座クリーナ液収容ボトル１１６設置位置には、便座クリーナ液覗き窓１１７が配設されている。便座クリーナ液覗き窓１１７には、ロールペーパー覗き窓１０７と同様にガラスや樹脂板等の透明な部材が挿着されており、便座クリーナ液覗き窓１１７を通して便座クリーナ液収容ボトル１１６内の便座クリーナ液の残量を視認することができる。
【００４２】
なお、上述の説明においては、正面パネル１０１を開口して便座クリーナ液収容ボトル１１６を搭載・交換する構成としたが、特にこれに限定されず、例えば便座クリーナ液収容ボトル交換用のボトル供給口を正面パネル１０１に設ける構成であってもよい。
【００４３】
この構成を図７及び図８を用いて説明する。図７は、ボトル供給口を備えたロールペーパー供給装置の概略斜視図、図８（ａ）、（ｂ）は、該ロールペーパー供給装置における便座クリーナ液収容ボトルの搭載・交換動作を説明するための図である。
【００４４】
図に示すように、開口部１１４の直上に容器供給口としてのボトル供給口１１８が形成され、ボトル供給口１１８には、容器供給口開閉部材としてのボトル供給口開閉蓋１１９が下部を支点にして前傾し、上部が開口可能に蝶着されている。ボトル供給口開閉蓋１１９の開閉機構については、ロールペーパー供給口開閉蓋１０４と同様である。ボトル供給口開閉蓋１１９には、ボトル設置トレイ１１２、便座クリーナ液供給ボタン１１５、便座クリーナ液覗き窓１１７が配設される。
【００４５】
このような構成であれば、図８（ａ）に示すようにボトル供給口１１８を開いてボトルの交換が可能であるため、利便性が向上する。また、図８（ｂ）に示すように正面パネル１０１を開いて交換することももちろん可能である。
【００４６】
本実施例に係るロールペーパー供給装置は、開口可能な正面パネル１０１、ロールペーパー供給口開閉蓋１０４、ボトル供給口開閉蓋１１９に、それぞれ鍵機構１２０ａ、１２０ｂ、１２０ｃを備えており、専用の鍵がないと開閉できないように構成されている。特に、鍵機構１２０ａについては、ロールペーパー供給口１０３の図２中右側でロールペーパー供給口開閉蓋１０４に覆われる位置に配設される。このため、正面パネル１０１は、鍵機構１２０ｂの施錠を解除してロールペーパー供給口開閉蓋１０４を開口し、鍵機構１２０ａを露出させて、さらに鍵機構１２０ａの施錠を解除して初めて開口させることができる。鍵機構１２０ａ、１２０ｂ、１２０ｃの構成としては従来公知のものを適用することができ、またその設置位置も特に本実施例の構成に限定されない。
【実施例２】
【００４７】
以下、本実施例に係るロールペーパー供給装置について説明する。
【００４８】
本実施例においては、正面パネルが観音開き構造の２枚パネルであり、また正面パネルの裏面全体が筐体で覆われている点が実施例１と異なる。それ以外の実施例１と同様の構成については同一の図面を用いるとともに同一の符号を付し、説明は省略する。
【００４９】
図９は、本実施例に係るロールペーパー供給装置の概略斜視図、図１０は、該ロールペーパー供給装置の概略正面断面図、図１１は、本実施例に係るロールペーパー供給装置のうちボトル供給口を備えたロールペーパー供給装置の概略斜視図、図１２は、該ロールペーパー供給装置の概略正面断面図である。
【００５０】
図に示されるように、本実施例に係るロールペーパー供給装置２００は、その正面が２枚の正面パネル２０１ａ、２０１ｂで覆われており、図中矢印方向に開口させることができるものである。
【００５１】
また、正面パネル２０１ａ、２０１ｂの裏面は、２２１筐体で覆われている。このため、ロールペーパー供給装置２００は、トイレブース壁面に埋設せずに、壁面より突出させて設置した場合であっても、見た目にすっきりとした構成となる。
【００５２】
以上、実施例１及び２に係るロールペーパー供給装置によれば、ロールペーパーの供給、便器洗浄操作、便座クリーナ液の供給を本装置で行うことができる。そして、便座クリーナ液供給装置が一体となっているため、壁面に余計な突出物がなく、トイレブース内のスペースを有効に使うことができ、見た目にもすっきりさせることができる。
【００５３】
また、特に公共のトイレにおいては、使用者の悪戯で破壊され得るという問題があったが、ロールペーパー供給装置に便座クリーナ液供給装置が一体的に組み込まれたため、便座クリーナ液供給装置が悪戯で破壊されることを防ぐことができる。特に鍵機構を設けたことで、悪戯防止効果は高いものとなっている。
【００５４】
さらに、ロールペーパー供給装置内に便座クリーナ液をロールペーパーに塗布するスペースがあるため、便座クリーナ液の飛散を防止することができる。
【００５５】
なお、実施例１に係るロールペーパー供給装置についても、実施例２と同様に正面パネル裏面が筐体で覆われた構成であってもよい。また逆に実施例２に係るロールペーパー供給装置が、正面パネルの裏面が筐体で覆われていない構成であってもよい。また実施例１及び２に係るロールペーパー供給装置は、トイレブース壁面に埋設せずに、壁面より突出させて設置してもよく、この場合には正面パネルの裏面は筐体で覆われていることが好ましい。
【図面の簡単な説明】
【００５６】
【図１】実施例１に係るロールペーパー供給装置の概略斜視図
【図２】ロールペーパー供給装置の概略正面断面図
【図３】ロールペーパー供給装置の概略平面断面図
【図４】ロールペーパー供給装置の概略底面断面図
【図５】（ａ）、（ｂ）は、ロールペーパー供給装置の概略左側面断面図
【図６】ロールペーパー供給装置の概略右側面断面図
【図７】ボトル供給口を備えたロールペーパー供給装置の概略斜視図
【図８】（ａ）、（ｂ）は、ボトル供給口を備えたロールペーパー供給装置における便座クリーナ液収容ボトルの搭載・交換動作を説明するための図
【図９】実施例２に係るロールペーパー供給装置の概略斜視図
【図１０】ロールペーパー供給装置の概略正面断面図
【図１１】ボトル供給口を備えたロールペーパー供給装置の概略斜視図
【図１２】ボトル供給口を備えたロールペーパー供給装置の概略正面断面図
【符号の説明】
【００５７】
Ｂｓ  ベースプレート
Ｐｅ  ロールペーパー
Ｗｓ  洗浄水供給パイプ（洗浄水供給手段に対応）
１０１  正面パネル
１０２  ロールペーパー収容部（ロールペーパー収容手段に対応）
１０３  ロールペーパー供給口
１０４  ロールペーパー供給口開閉蓋（ロールペーパー供給口開閉部材に対応）
１０５  予備ロールペーパー待機部（ロールペーパー待機部に対応）
１０６  ロールペーパー引出し部
１１０  洗浄操作ボタン（洗浄操作手段に対応）
１１２  ボトル設置トレイ（容器搭載手段に対応）
１１３  便座クリーナ液受け部（クリーニング剤供給部に対応）
１１４  開口部（クリーニング剤供給開口部に対応）
１１５  便座クリーナ液供給ボタン（クリーニング剤供給手段に対応）
１１６  便座クリーナ液収容ボトル（クリーニング剤収容容器に対応）
１１８  ボトル供給口（容器供給口に対応）
１１９  ボトル供給口開閉蓋（容器供給口開閉部材に対応）
【図１】
2008099776.tif 000003
【図２】
2008099776.tif 000004
【図３】
2008099776.tif 000005
【図４】
2008099776.tif 000006
【図５】
2008099776.tif 000007
【図６】
2008099776.tif 000008
【図７】
2008099776.tif 000009
【図８】
2008099776.tif 000010
【図９】
2008099776.tif 000011
【図１０】
2008099776.tif 000012
【図１１】
2008099776.tif 000013
【図１２】
2008099776.tif 000014